(57)【特許請求の範囲】
【請求項１】
人が載ることの可能なネットを備えたネット構造遊戯装置において、
前記ネットを上下方向に階層状に設けるとともに、
ネットを上下方向に貫通する円筒状の連通部を備え、
連通部の周面をネット状に形成し、
人が連通部を通ってネットの上下方向任意の位置に移動可能に構成した
ことを特徴とするネット構造遊戯装置。
【請求項２】
人が載ることの可能なネットを備えたネット構造遊戯装置において、
前記ネットを上下方向に連続する螺旋状に形成するとともに、
ネットを上下方向に貫通する円筒状の連通部を備え、
連通部の周面をネット状に形成し、
人が連通部を通ってネットの上下方向任意の位置に移動可能に構成した
ことを特徴とするネット構造遊戯装置。
【請求項３】
前記ネットを建築物の内部空間に設置した
ことを特徴とする請求項１または２記載のネット構造遊戯装置。
【請求項４】
前記連通部内に複数の渡り板を上下方向に間隔をおいて設け、
各渡り板には人がそれぞれ通過可能な孔を設けた
ことを特徴とする請求項１、２または３記載のネット構造遊戯装置。
【発明の詳細な説明】
【０００１】
【発明の属する技術分野】
本発明は、例えば多目的施設、教育施設、保育施設または一般の家屋等に設置され、主に子供等がネットに載って遊戯するためのネット構造遊戯装置に関するものである。
【０００２】
【従来の技術】
従来、この種のネット構造遊戯装置としては、例えば実用新案登録第３０５４７９２号公報に記載されているように、ブランコの支柱等の既設構築物にネットを張設し、子供等がネットに載って遊べるようにしたものが知られている。
【０００３】
【発明が解決しようとする課題】
しかしながら、従来の遊戯装置では、ネット面が単一であるため、ネット上での遊戯がほぼ平面的な移動の繰り返しとなり、遊戯が単調なものとなるという問題点があった。
【０００４】
本発明は前記問題点に鑑みてなされたものであり、その目的とするところは、ネット上での変化に富んだ遊戯を楽しむことのできるネット構造遊戯装置を提供することにある。
【０００５】
【課題を解決するための手段】
本発明は前記目的を達成するために、請求項１では、人が載ることの可能なネットを備えたネット構造遊戯装置において、前記ネットを上下方向に階層状に設けるとともに、ネットを上下方向に貫通する円筒状の連通部を備え、連通部の周面をネット状に形成し、人が連通部を通ってネットの上下方向任意の位置に移動可能に構成している。これにより、人がネットの上下方向任意の位置から連通部を介して上方または下方の他の位置に移動することが可能となる。
【０００６】
また、請求項２では、人が載ることの可能なネットを備えたネット構造遊戯装置において、前記ネットを上下方向に連続する螺旋状に形成するとともに、ネットを上下方向に貫通する円筒状の連通部を備え、連通部の周面をネット状に形成し、人が連通部を通ってネットの上下方向任意の位置に移動可能に構成している。これにより、人がネットの上下方向任意の位置から連通部を介して上方または下方の他の位置に移動することが可能となる。また、ネットが螺旋状に連続していることから、前記連通部を介さずともネットの上方または下方への移動が可能となる。
【０００７】
また、請求項３では、請求項１または２記載のネット構造遊戯装置において、前記ネットを建築物の内部空間に設置している。これにより、請求項１または２の作用に加え、ネットが建築物の内部空間に設置されることから、建築物の内部空間が有効利用される。
【０００８】
また、請求項４では、請求項１、２または３記載のネット構造遊戯装置において、前記連通部内に複数の渡り板を上下方向に間隔をおいて設け、各渡り板には人がそれぞれ通過可能な孔を設けている。これにより、請求項１、２または３の作用に加え、任意のネットから連通部内に進入し、各渡り板の孔を潜りながら連通部内を通ることにより、上方または下方の他のネットに移動することができる。
【０００９】
【発明の実施の形態】
図１及び図２は本発明の第１の実施形態を示すもので、図１はネット構造遊戯装置の全体斜視図、図２はその正面図である。
【００１０】
このネット構造遊戯装置は、上下方向に階層をなす複数の方形状のネット１と、各ネット１を支持する複数の支柱２と、各ネット１間を上下方向に連通する移動手段としての連通部３とからなり、これら各ネット１等は建物Ａの内部空間に設置されている。
【００１１】
各ネット１は端部を各支柱２に固定され、それぞれ水平に張設されている。連通部３は各ネット１を貫通する円筒状に形成され、その周面はネット状に形成されている（図１では連通部３のネット面は図示省略）。各支柱２は各ネット４の周囲に間隔をおいて配置され、それぞれ垂直に立設されている。連通部３内には複数の渡り板４が上下方向に間隔をおいて設けられており、渡り板４は遊戯者Ａがそれぞれ通過可能な孔４ａを有している。また、連通部３の側面には各ネット１上にそれぞれ対応する複数の開口部３ａが設けられている。
【００１２】
以上のように構成された遊戯装置においては、遊戯者Ａが各ネット１に載り、ネット特有の柔軟性を体感しながら遊戯を楽しむことができる。その際、遊戯者Ａは、任意のネット１上の開口部３ａから連通部３内に進入し、各渡り板４の孔４ａを潜りながら連通部３内を通ることにより、上方または下方の他のネット１上に移動することができる。
【００１３】
このように、本実施形態のネット構造遊戯装置によれば、複数のネット１を上下方向に階層状に設け、各ネット１間を上下方向に延びる連通部３を介して移動可能に連通したので、同一のネット１上における平面的な移動のみならず、上方または下方のネット１に移動することにより、変化に富んだ遊戯を楽しむことができる。この場合、複数のネット１上に遊戯者Ａが載ることができるので、従来のような単一のネットのみを備えたものに比べ、大勢の遊戯者Ａが同時に遊戯を行うことができるという利点もある。
【００１４】
また、前記遊戯装置を建物Ａ内に設置することにより、建物Ａの内部空間を有効に利用することができ、屋内施設として設置する場合に極めて有利である。
【００１５】
図３は本発明の第２の実施形態を示すネット構造遊戯装置の正面図である。即ち、同図に示す遊戯装置は、上下方向に連続する螺旋状に形成されたネット１０と、ネット１０を支持する複数の支柱１１と、ネット１０の各階層部を上下方向に連通する連通部１２とからなり、これらネット１０等は建物Ｃの内部空間に設置されている。
【００１６】
ネット１０は周端部を各支柱１１に固定され、上方から下方に亘って徐々に幅が広くなるように形成されている。各支柱１１はネット１０の周囲に間隔をおいて配置され、それぞれネット１０側に傾斜して互いに上端を固定されている。連通部１２はネット１０の中心部を貫通する円筒状に形成され、その周面はネット状に形成されている。連通部１２内には複数の渡り板１３が上下方向に間隔をおいて設けられ、渡り板１３は第１の実施形態と同様、遊戯者がそれぞれ通過可能な孔（図示せず）を有している。また、連通部１２の側面にはネット１０の上下方向複数箇所にそれぞれ対応する複数の開口部１２ａが設けられている。
【００１７】
以上のように構成された遊戯装置においては、ネット１０上の遊戯者が任意の開口部１２ａから連通部１２内に進入し、各渡り板１３の孔を潜りながら連通部１２内を通ってネット１０の上方または下方の他の位置に移動することにより、変化に富んだ遊戯を楽しむことができる。また、ネット１０は螺旋状に連続しているため、連通部１２を通らずともネット１０の上方または下方への移動が可能であり、より多様な遊戯を楽しむことができる。
【００１８】
また、本実施形態の遊戯装置においても建物Ｃの内部空間を有効に利用することができ、特に上方が狭く下方が広がった屋内空間に設置する場合に極めて有利である。
【００１９】
尚、前記各実施形態では建築物Ａ，Ｃの内部空間に設置したものを示したが、屋外に設置することも可能である。
【００２０】
【発明の効果】
以上説明したように、請求項１のネット構造遊戯装置によれば、人が連通部を介してネットの上方または下方に移動することができるので、ネット上での変化に富んだ遊戯を楽しむことができる。
【００２１】
また、請求項２のネット構造遊戯装置によれば、請求項１の効果を有するとともに、連通部を介さずともネットの上方または下方への移動が可能となるので、より多様な遊戯を楽しむことができる。
【００２２】
また、請求項３のネット構造遊戯装置によれば、請求項１または２の効果に加え、建物の内部空間を有効に利用することができるので、屋内施設として設置する場合に極めて有利である。
【００２３】
また、請求項４のネット構造遊戯装置によれば、請求項１、２または３の効果に加え、各渡り板の孔を潜りながら連通部内を通ってネットの上方または下方の他の位置に移動することができるので、より変化に富んだ遊戯を楽しむことができる。
【図面の簡単な説明】
【図１】  本発明の第１の実施形態を示すネット構造遊戯装置の全体斜視図
【図２】  遊戯装置の正面図
【図３】  本発明の第２の実施形態を示すネット構造遊戯装置の正面図
【符号の説明】
１…ネット、３…連通部、４…渡り板、４ａ…孔、１０…ネット、１２…連通部、１３…渡り板、Ａ…建物、Ｂ…遊戯者、Ｃ…建物。
【図１】
0003753599.tif 000002
【図２】
0003753599.tif 000003
【図３】
0003753599.tif 000004